(57)【特許請求の範囲】
【請求項１】
携帯電話網の無線基地局を通じて音楽データを携帯電話に提供する音楽提供システムであって、
前記携帯電話のコーデック種別に対応して音楽用符号化処理にて予め符号化された音楽データを蓄積する音楽データ記憶手段と、
前記携帯電話のコーデック種別を検出するコーデック種別検出手段と、
前記検出された前記携帯電話のコーデック種別に対応した音楽データを前記音楽データ記憶手段から取得し、前記無線基地局にコーデックスルー指示を出すと共に、前記音楽データを前記無線基地局にコーデックスルーにて送信する音楽データ送信手段と、を有し、
前記無線基地局は、前記音楽データ送信手段からのコーデックスルー指示に基づいて、前記音楽データをそのままの状態で前記携帯電話に送信するものであることを特徴とする音楽提供システム。
【請求項２】
前記携帯電話に対して前記無線基地局においてコーデックスルーにて前記音楽データの送信が可能か否かを問い合わせるコーデックスルー可否問い合わせ手段を備え、
前記音楽データ送信手段が、前記コーデックスルー可否問い合わせ手段による問い合わせの結果、コーデックスルー可能である場合に前記コーデック種別検出手段にて検出されたコーデック種別に対応した音楽データを前記携帯電話に送信するための前記コーデックスルー指示を出すものであること特徴とする請求項１記載の音楽提供システム。
【請求項３】
前記音楽データは、前記音楽用符号化処理にて音声用符号化処理とは異なり雑音除去処理を伴わずに符号化されたデータであることを特徴とする請求項１記載の音楽提供システム。
【請求項４】
前記音楽データ記憶手段は、予め前記携帯電話のコーデックに対応して音楽用符号化処理にて符号化された音楽データを蓄積するものであることを特徴とする請求項１に記載の音楽提供システム。
【請求項５】
前記音楽データ記憶手段は、予め前記携帯電話のコーデックに対応して雑音除去処理を伴わずに符号化する音楽用符号化処理にて符号化された音楽データを蓄積するものであることを特徴とする請求項１に記載の音楽提供システム。
【請求項６】
携帯電話網の無線基地局を通じて音楽データを携帯電話に提供する音楽提供システムに用いる音楽提供装置であって、
前記携帯電話のコーデック種別に対応して音楽用符号化処理にて予め符号化された音楽データを蓄積する音楽データ記憶手段と、
前記携帯電話のコーデック種別を検出するコーデック種別検出手段と、
前記検出された前記携帯電話のコーデック種別に対応した音楽データを前記音楽データ記憶手段から取得し、前記無線基地局にコーデックスルー指示を出すと共に、前記音楽データを前記無線基地局にコーデックスルーにて送信する音楽データ送信手段と、を有することを特徴とする音楽提供装置。
【請求項７】
前記携帯電話に対して前記無線基地局においてコーデックスルーにて前記音楽データの送信が可能か否かを問い合わせるコーデックスルー可否問い合わせ手段を備え、
前記音楽データ送信手段が、前記コーデックスルー可否問い合わせ手段による問い合わせの結果、コーデックスルー可能である場合に前記コーデック種別検出手段にて検出されたコーデック種別に対応した音楽データを前記携帯電話に送信するための前記コーデックスルー指示を出すものであること特徴とする請求項６記載の音楽提供装置。
【請求項８】
音楽提供装置を用いて、携帯電話網の無線基地局を通じて音楽データを携帯電話に提供する音楽提供方法であって、
前記音楽提供装置が、
前記携帯電話のコーデック種別に対応して音楽用符号化処理にて予め符号化された音楽データを音楽データ記憶手段に蓄積し、
前記携帯電話のコーデック種別をコーデック種別検出手段により検出し、
前記検出された前記携帯電話のコーデック種別に対応した音楽データを音楽データ送信手段により前記音楽データ記憶手段から取得し、前記音楽データ送信手段から前記無線基地局にコーデックスルー指示を出すと共に、前記音楽データを前記無線基地局にコーデックスルーにて送信し、
前記無線基地局を通じて、前記音楽データ送信手段からのコーデックスルー指示に基づいて、前記音楽データをそのままの状態で前記携帯電話に送信する処理を実行することを特徴とする音楽提供方法。
【請求項９】
前記音楽提供装置が、
前記携帯電話に対して前記無線基地局においてコーデックスルーにて前記音楽データの送信が可能か否かを問い合わせ、
前記コーデックスルー可否の問い合わせた結果、コーデックスルー可能である場合にコーデックスルー指示を出す処理を実行することを特徴とする請求項８に記載の音楽提供方法。
【請求項１０】
携帯電話網の無線基地局を通じて音楽データを携帯電話に提供する音楽提供用コンピュータに、
前記携帯電話のコーデック種別に対応して音楽用符号化処理にて予め符号化された音楽データを蓄積する機能と、
前記携帯電話のコーデック種別を検出する機能と、
前記検出された前記携帯電話のコーデック種別に対応した音楽データを前記蓄積した音楽データから取得し、前記無線基地局にコーデックスルー指示を出すと共に、前記音楽データを前記無線基地局にコーデックスルーにて送信する機能と、
前記無線基地局を通じて、前記音楽データ送信手段からのコーデックスルー指示に基づいて、前記音楽データをそのままの状態で前記携帯電話に送信する機能とを実行させることを特徴とする音楽提供用プログラム。
【請求項１１】
前記音楽提供用コンピュータに、
前記携帯電話に対して前記無線基地局においてコーデックスルーにて前記音楽データの送信が可能か否かを問い合わせ、前記コーデックスルー可否の問い合わせた結果、コーデックスルー可能である場合にコーデックスルー指示を出す機能を実行させることを特徴とする請求項１０に記載の音楽提供用プログラム。
【請求項１２】
携帯電話網の無線基地局を通じて音楽データを携帯電話に提供する音楽提供システムであって、
前記携帯電話のコーデック種別を検出するコーデック種別検出手段と、
予め記憶された音源となる音楽データを前記コーデック種別検出手段にて検出されたコーデック種別に対応して、雑音処理を伴わない音楽用符号化処理にて符号化する音楽データ符号化手段と、
前記音楽データ符号化手段で符号化された音楽データを前記無線基地局にコーデックスルコーデックスルーにて送信する共に、前記無線基地局にコーデックスルー指示を出す音楽データ送信手段と、を有し
前記無線基地局は、前記音楽データ送信手段からのコーデックスルー指示に基づいて、前記音楽データをそのままの状態で前記携帯電話に送信するものであることを特徴とする音楽提供システム。
【請求項１３】
前記携帯電話に対して前記無線基地局においてコーデックスルーにて前記音楽データの送信が可能か否かを問い合わせるコーデックスルー可否問い合わせ手段を備え、
前記音楽データ符号化手段は、前記コーデックスルー可否問い合わせ手段による問い合わせの結果、コーデックスルー可能である場合に前記コーデック種別検出手段にて検出されたコーデック種別に対応した音楽データを生成する機能を有すること特徴とする請求項１２記載の音楽提供システム。
【請求項１４】
前記音楽データ符号化手段は、前記音楽用符号化処理にて前記音声用符号化処理とは異なり雑音除去処理を伴わずに符号化することを特徴とする請求項１２記載の音楽提供システム。
【請求項１５】
携帯電話網の無線基地局を通じて音楽データを携帯電話に提供する音楽提供システムに用いる音楽提供装置であって、
前記携帯電話のコーデック種別を検出するコーデック種別検出手段と、
予め記憶された音源となる音楽データを前記コーデック種別検出手段にて検出されたコーデック種別に対応して、雑音処理を伴わない音楽用符号化処理にて符号化する音楽データ符号化手段と、
前記音楽データ符号化手段で符号化された音楽データを前記無線基地局にコーデックスルコーデックスルーにて送信する共に、前記無線基地局にコーデックスルー指示を出す音楽データ送信手段と、を有することを特徴とする音楽提供装置。
【請求項１６】
音楽提供装置を用いて、携帯電話網の無線基地局を通じて音楽データを携帯電話に提供する音楽提供方法であって、
前記音楽提供装置が、
前記携帯電話のコーデック種別をコーデック種別検出手段により検出し、
予め記憶された音源となる音楽データを前記コーデック種別検出手段にて検出されたコーデック種別に対応して音楽データ符号化手段により、雑音処理を伴わない音楽用符号化処理にて符号化し、
前記音楽データ符号化手段で符号化された音楽データを音楽データ送信手段により前記無線基地局にコーデックスルコーデックスルーにて送信する共に、前記音楽データ送信手段により前記無線基地局にコーデックスルー指示を出し、
前記音楽データ送信手段からのコーデックスルー指示に基づいて、前記無線基地局を通じて、前記音楽データをそのままの状態で前記携帯電話に送信する処理を実行することを特徴とする音楽提供方法。
【請求項１７】
携帯電話網の無線基地局を通じて音楽データを携帯電話に提供する音楽提供用コンピュータに、
前記携帯電話のコーデック種別を検出する機能と、
予め記憶された音源となる音楽データを前記検出されたコーデック種別に対応して、雑音処理を伴わない音楽用符号化処理にて符号化する機能と、
前記符号化された音楽データを前記無線基地局にコーデックスルコーデックスルーにて送信する共に、前記音楽データ送信手段により前記無線基地局にコーデックスルー指示を出力する機能と、
前記コーデックスルー指示に基づいて、前記無線基地局を通じて、前記音楽データをそのままの状態で前記携帯電話に送信する機能とを実行させることを特徴とする音楽提供用プログラム。
【発明の詳細な説明】
【技術分野】
【０００１】
本発明は、情報提供システムにかかり、特に、携帯電話網を介して携帯電話に対し情報を提供する情報提供システムに関する。また、情報提供方法、情報提供装置、情報提供用プログラムに関する。
【背景技術】
【０００２】
携帯電話の普及に伴い、当該携帯電話における通話時の音質向上を図る技術が実装されている。以下に、主な携帯電話方式毎のコーデックを示す。なお、方式：コーデック，伝送帯域（Ｋｂｉｔ／ｓｅｃ），音声帯域（Ｋｂｉｔ／ｓｅｃ），の順で示す。【０００３】
PHS：ADPCM，32，32
PDC Full rate：VSELP，11.2，6.7
PDC Half rate：PSI-CELP，5.6，3.45
GSM：RPE-LTP，22.8，13
CdmaOne：EVRC，9.6，8
WCDMA(FOMA)：AMR，38.6，12/23
固定電話(参考)：PCM，64，64
なお、伝送帯域とは無線区間全部の帯域、音声帯域とは前記伝送帯域のうち音声信号が流れる部分の帯域を言う。【０００４】
例えば、ＣＤＭＡ網において使用されているＥＶＲＣコーデックによる符号化処理は、図１０に示す手順にて行われる。まず、音声アナログ入力に対して（ステップＳ１０１）、当該音声アナログ入力信号の正規化が行われる（ステップＳ１０２）。続いて、アナログ信号での帯域フィルター処理（低周波成分と高周波成分の除去）（ステップＳ１０３）、アナログ／デジタル変換処理（量子化：アナログから線形ＰＣＭへ）（ステップＳ１０４）が行われる。その後、音声波形のうち、小振幅部分を削除し（ステップＳ１０５）、話者認識を行って雑音除去処理を行う（ステップＳ１０６）。そして、音声信号を符号化し（ステップＳ１０７）、伝送用符号に変換する（冗長構成、誤り訂正符号追加）（ステップＳ１０８）。【０００５】
上記手順にて音声を符号化することにより、ステップＳ１０５の小振幅部圧縮処理にて、無音区間又は雑音区間の場合は雑音という信号のみを送信して伝送レートを下げており、伝送に要する電力と携帯端末の電力消費量を削減することができる。また、ステップＳ１０６の処理にて、背景雑音を除去して通話音声の音質改善（明瞭化）を図っている。【０００６】
【特許文献１】特開平１１−５５７１６号公報
【特許文献２】特開２００２−２４７１５６号公報
【発明の開示】
【発明が解決しようとする課題】
【０００７】
一方で、近年では携帯電話で音楽を聴くケースが増えている。特に、音楽が携帯電話網上を流れるサービスとして、以下のようなものがある。（１）音楽の試聴：音楽試聴業者へ電話をかけ、聴きたい曲を指定することにより音楽を試聴する。（２）発信メロディサービス：ＡがＢに電話して呼び出し中に、呼び出し音（Ring Back Tone）の代わりにＢが指定した音楽をＡが聴く（Ring Back Melodyサービス：以下、発メロサービスという）。（３）自己発信メロディサービス：ＡがＢに電話して呼び出し中に、呼び出し音（Ring
Back Tone）の代わりにＡが指定した音楽をＢが聴く。【０００８】
そして、上述したようなサービスを利用し、携帯電話で音楽を聴く際には、音楽供給業者が提供した音源ファイルをそのまま携帯電話網を介して音楽を聴く人の端末に伝送していた。すると、音楽を聴く人Ａが狭帯域の携帯電話（ＰＤＣ，ＧＳＭ，ＣＤＭＡＯｎｅ）の場合、端末から基地局までの伝送の間に、携帯電話網の音声コーデック特性のために音質が劣化してしまう、という問題があった。ここで、図１１を参照して、上述した発信メロディサービスについて簡単に説明すると共に、ＣＤＭＡＯｎｅ網の場合における音楽データの流れと、音質劣化の状態について説明する。【０００９】
図１１に示すように、まず、発信者携帯電話Ｕ１０１から発メロサービスに加入している着信側携帯電話Ｕ１０２に発信が行われると、発信要求を受けた携帯電話網１１０を構成する無線基地局１０１，１０４、携帯電話交換機１０２，１０３（以下、ＭＳＣと言う）、中継基地局１０５（以下、ＧＳと言う）などを介して、加入者である着信側携帯電話Ｕ１０２の状態の確認が行われる（矢印Ｌ１，Ｌ２，Ｌ３，Ｌ４，Ｌ５）。このとき、発信側携帯電話Ｕ１０１側のＭＳＣ１０２では、ＧＳ１０５を介して加入者サービス管理サーバ１０６にアクセスし、着信側携帯電話Ｕ１０２が発メロサービスに加入しているか否かを加入者データベース１０７を参照して調べる（矢印Ｌ６）。そして、着信側携帯電話Ｕ１０２がサービスに加入している場合には、ＭＳＣ１０２からメロディ再生制御サーバ１０８に対して起動要求がなされ、加入者が指定した音楽データを発信側携帯電話Ｕ１０１に呼び出し音の代わりに送信するよう要求する（矢印Ｌ７）。【００１０】
すると、メロディ再生制御サーバ１０８は、ＷＡＶ形式の音源ファイルを音源データベース１０９から読み出して（矢印Ｍ１）、これをＰＣＭ６４Ｋｂｉｔ／ｓｅｃのデータに変換し、そのデータをＧＳ１０５及びＭＳＣ１０２により無線基地局１０１まで伝送する（矢印Ｍ２，Ｍ３，Ｍ４）。このため、メロディ再生制御サーバ１０８から無線基地局１０１までは、その伝送途中で音質の劣化は生じない。そして、無線基地局１０１では、発信側携帯電話Ｕ１０１のコーデックに対応して符号化を行う。例えば、８Ｋｂｉｔ／ｓｅｃのＥＶＲＣコーデック用の符号化を行う。従って、この区間（矢印Ｍ５）において音楽の音質が大きく劣化する、という事態が生じる。すなわち、無線基地局１０１にて、上述した図１０に示す処理と同様のアルゴリズムによる音声用符号化処理であるＥＶＲＣコーデックが行われており、音楽データの音質が劣化する。【００１１】
ここで、上述した音楽の劣化について詳述する。この劣化は、上述したＥＶＲＣコーデックの特徴である音声を明瞭にする、という処理によるものであり、具体的には、上記ステップＳ１０５の処理では、アナログ信号の正規化と帯域フィルターの次に小振幅部分を削除しているためである。すなわち、音楽データに関してはダイナミックレンジが大きく音量が大きい部分と小さい部分が連続的に変化する。例えば、図１２（ａ）に示すような音楽データ（波形）に対して符号Ｘに示す区間の小音量部分、すなわち小振幅部分Ｘが削除されてしまうため（図１２（ｂ）参照）、音楽が部分的に途切れてしまい、音質が劣化するという問題が生じる。【００１２】
また、上記ステップＳ１０６の処理では、背景雑音を除去して音声の明瞭度を上げる音声コーデック固有の機能を実行するが、かかる機能では、音声と雑音を識別する基準値を内部に持っており、この基準値と入力信号の予測利得(Prediction Gain)を比較して、音声と雑音の識別を行っている。すなわち、基準値より予測利得が大きい場合に、音声として識別している。そして、音声コーデックは20msec(160
Sample)を１フレームとして符号化しているが、信号フレーム間の相関が小さい場合、予測利得（Prediction Gain ）が小さくなる。このとき、音声は20msec単位で見ると、かなりフレーム間相関が大きく予測利得が大きいが、雑音の場合はランダム信号のため予測利得が小さい。そして、オーケストラやロック音楽などで急激に音が変化している場合、フレーム間相関が小さく、予測利得が小さくなり、雑音とみなされる可能性が高くなる。また、オーケストラやロック音楽の場合、その音楽は、周波数空間で見ると広い周波数帯域に広がって分布しており、雑音に近い周波数特性を持っていることがある。従って、この様な曲の場合には音質劣化が激しい。そして、雑音と見なされると、音声符号化が行われず雑音であるとの信号だけが伝送され、雑音識別信号を受信したフレーム(20ms毎)では、受信端末側で低レベルの疑似雑音（ホワイトノイズ）を再生するので、元の音楽通りに再生されず、音質が劣化してしまうという問題が生じる。【００１３】
なお、携帯電話や無線基地局に備えられている既存のコーデックから上記機能を除去すると音楽の音質劣化は防げるが、雑音除去機能が働かなくなり、通常の音声通話品質が劣化してしまうので、音声コーデックの仕様自体を変更することは出来ない。また、雑音除去機能を取り除いたとしても、そのようなアルゴリズムのコーデック装置を構築することは多大な手間がかかり、さらには、既に携帯電話や無線基地局に備えられているものと交換することは多大なコストがかかる、という問題も生じる。【００１４】
なお、音質劣化を抑制する技術が上記特許文献１に開示されている。この特許文献１には、携帯電話同士での音声通話において、当該端末同士が同じ携帯電話網内で同じコーデックを使っている場合に、当該携帯電話網内でＰＣＭに変換せずに、基地局と端末の間で使用している符号化信号を直接端末同士でやりとりする、というコーデックスルーシステムについて開示されている。これにより、コーデックによる符号化の回数を減らして、音声品質の劣化を防ぐ、というものである。しかし、上記特許文献１記載の技術は、通話時における音声データに関するコーデックスルー技術であって、音源ファイルについて音質向上を図ることはできない。すなわち、仮に、音源ファイルについてもコーデックスルーを用いて伝送したとしても、最初の音声用符号化処理の段階で音質が劣化することは上述した通りである。【００１５】
また、電話装置にて、音声と共に高品質な音楽を再生可能とする、という技術が開示されているが、無線通信網を伝送されてくる音楽データによる音楽の音質低下を抑制する技術ではない。すなわち、上述同様に、音源ファイルのコーデックによる音質低下の問題点は改善されていない。【００１６】
本発明の目的は、上記従来例の有する不都合を改善し、特に、携帯電話における情報の質を維持しつつ、無線通信網を介して提供する情報の品質の劣化を抑制し、携帯電話にて高質な音楽などの情報再生を実現することができる情報提供システムを提供することをその目的とする。
【課題を解決するための手段】
【００１７】
そこで、本発明である音楽提供システムは、
無線基地局を介して携帯電話に情報を提供する情報提供システムであって、
前記無線基地局においてコーデックスルーにて前記携帯電話に情報を送信する情報データ送信手段を備え、
前記情報は、予め前記携帯電話のコーデックに対応して符号化されたデータであるという構成を採っている。【００１８】
また、前記情報に代えて、雑音除去処理を伴わずに符号化する符号化処理にて符号化された情報を用いてもよいものである。【００１９】
このような構成にすることにより、本発明では、まず、携帯電話網上で携帯電話に情報を提供するシステムには、予め携帯電話のコーデック種別に対応して符号化処理にて符号化された情報データが蓄積されている。特に、この符号化処理では、情報データの符号化処理にて行われる雑音除去処理を伴わない符号化が行われるため、情報波形の欠損が少なく質の劣化しない情報データが蓄積されている。そして、携帯電話に提供される情報データは携帯電話のコーデック種別に対応していることから、基地局にてコーデックによる符号化処理を行わずにコーデックスルーにて携帯電話に送信することが可能となる。従って、携帯電話に伝送される情報データは、伝送持に情報データと同様の雑音除去処理が行われずに送信されるため、質の劣化を抑制することができる。これにより、携帯電話では質の劣化のない情報を再生することができる。【００２０】
また、本発明である情報提供システムのさらに具体的な構成として、
前記携帯電話は、通話の際に音声に対して雑音除去処理を伴う音声用符号化処理を行うものであり、
携帯電話のコーデック種別に対応して符号化処理にて予め符号化された情報データを蓄積する情報データ記憶手段と、
携帯電話のコーデック種別を検出するコーデック種別検出手段と、
この検出された携帯電話のコーデック種別に対応した情報データを情報データ記憶手段から取得し、当該情報データを無線基地局においてコーデックスルーにて携帯電話に送信する音楽データ送信手段と、
を備えた、という構成を採っている。【００２１】
そして、上記構成に加えて、
携帯電話に対して無線基地局においてコーデックスルーにて情報データの送信が可能か否かを問い合わせるコーデックスルー可否問い合わせ手段を備え、
情報データ送信手段が、コーデックスルー可否問い合わせ手段による問い合わせの結果、コーデックスルー可能である場合にコーデック種別検出手段にて検出されたコーデック種別に対応した情報データを携帯電話に送信する機能を有する、
という構成を採っている。【００２２】
さらに、上記構成に加えて、
情報データは、符号化処理にて符号化処理とは異なり雑音除去処理を伴わずに符号化されたデータである、という構成を採っている。【００２３】
上記構成のシステムでは、まず、システムには複数のコーデック種別に対応して符号化された情報データが予め蓄積されている。そして、情報データを送信するに先立って送信先となる携帯電話のコーデック種別を検出する。その後、検出したコーデック種別に対応して符号化された情報データを取りだして携帯電話にコーデックスルーにて送信する。従って、送信先の携帯電話に対して確実にコーデックスルーにて情報データを送信することができ、質の劣化のない情報を提供することができる。そしてさらに、送信先の携帯電話がコーデックスルー可能か否かを事前に調べ、その結果に応じて携帯電話のコーデック種別に対応した情報データを送信することにより、より確実に質の劣化のない情報を提供することが可能となる。【００２４】
そして、上記構成に加えて、情報データ送信手段は、携帯電話のリングバックトーンの代わりに前記情報データを送信するよう作動する、という構成にすると望ましい。これにより、携帯電話の呼び出し時には質劣化のない情報が再生され、一方、通話時になると情報データの伝送は従来通りに雑音除去処理を伴う符号化処理が行われるため、情報の質も維持することができる。【００２５】
また、本発明では、上記情報提供システムを構成する情報提供装置、あるいは、当該装置を制御するプログラム、また、当該装置にて実現される方法の発明でもある。【００２６】
すなわち、本発明である情報提供装置は、
無線基地局においてコーデックスルーにて携帯電話に提供される情報データを蓄積した情報提供装置であって、
蓄積された情報データは、予め携帯電話のコーデックに対応して符号化処理にて符号化されたデータである、という構成を採っている。【００２７】
また、異なる構成として、
前記情報データに代えて、蓄積された情報データは、予め携帯電話のコーデックに対応して雑音除去処理を伴わずに符号化する符号化処理にて符号化されたデータである、という構成を採っている。【００２８】
そして、上記構成に加えて、
携帯電話のコーデック種別を検出するコーデック種別検出手段と、
蓄積された情報データのうち、携帯電話のコーデック種別に対応した情報データを無線基地局においてコーデックスルーにて携帯電話に送信する情報データ送信手段と、
を備えていると望ましい。【００２９】
さらに、上記構成に加えて、
携帯電話に対して無線基地局においてコーデックスルーにて情報データの伝送が可能か否かを問い合わせるコーデックスルー可否問い合わせ手段を備え、
情報データ送信手段は、コーデックスルー可否問い合わせ手段による問い合わせの結果、コーデックスルー可能である場合にコーデック種別検出手段にて検出されたコーデック種別に対応した情報データを携帯電話に送信する機能を有する、
という構成にすると望ましい。【００３０】
また、情報提供用プログラムは、上記情報提供装置であるコンピュータに、上述した各手段、機能を実現するためのプログラムである。【００３１】
そして、情報提供方法は、
情報提供用コンピュータを用いて、携帯電話に情報を提供する方法であって、
携帯電話のコーデック種別を検出するコーデック種別検出工程と、
予め携帯電話のコーデックに対応して符号化処理にて符号化され蓄積された情報データのうち、コーデック種別検出工程にて検出されたコーデック種別に対応した情報データを抽出する情報データ選定工程と、
この抽出した情報データを、無線基地局においてコーデックスルーにて携帯電話に送信する情報データ送信工程と、
を備えた、という構成を採っている。【００３２】
また、異なる構成として、
情報提供用コンピュータを用いて、携帯電話に情報データを提供する方法であって、
携帯電話のコーデック種別を検出するコーデック種別検出工程と、
予め携帯電話のコーデックに対応して携帯電話の符号化処理とは異なり雑音除去処理を伴わずに符号化処理にて符号化され蓄積された音楽データのうち、コーデック種別検出工程にて検出されたコーデック種別に対応した情報データを抽出する情報データ選定工程と、
この抽出した情報データを、無線基地局においてコーデックスルーにて前記携帯電話に送信する情報データ送信工程と、
を備えた、という構成を採っている。【００３３】
さらに、上記構成に加えて、
音楽データ送信工程の前に、携帯電話に対して無線基地局においてコーデックスルーにて情報データの送信が可能か否かを問い合わせるコーデックスルー可否問い合わせ工程を備え、
情報データ送信工程は、コーデックスルー可否問い合わせ工程による問い合わせの結果、コーデックスルー可能である場合に前記コーデック種別検出工程にて検出されたコーデック種別に対応した情報データを携帯電話に送信する、
という構成すると望ましい。【００３４】
このように、上記構成の装置、方法、プログラムであっても、上述したシステム同様に作用し、上記目的を達成することができる。【００３５】
また、本発明である情報提供システムは、
通話の際に音声に対して雑音除去処理を伴う符号化処理を行う携帯電話に対して、無線基地局を介して音楽の提供を行う情報提供システムであって、
携帯電話のコーデック種別を検出するコーデック種別検出手段と、
予め記憶された情報データをコーデック種別検出手段にて検出されたコーデック種別に対応して符号化処理にて符号化する情報データ符号化手段と、
この符号化された情報データを無線基地局においてコーデックスルーにて携帯電話に送信する情報データ送信手段と、
を備えた、という構成をも採っている。【００３６】
そして、上記構成に加えて、
携帯電話に対して無線基地局においてコーデックスルーにて情報データの送信が可能か否かを問い合わせるコーデックスルー可否問い合わせ手段を備え、
情報データ符号化手段が、コーデックスルー可否問い合わせ手段による問い合わせの結果、コーデックスルー可能である場合にコーデック種別検出手段にて検出されたコーデック種別に対応した情報データを生成する機能を有する、
という構成にしてもよい。【００３７】
さらには、
情報データ符号化手段は、符号化処理にて符号化処理とは異なり雑音除去処理を伴わずに符号化する、という構成にしてもよい。【００３８】
このような構成にすることにより、本発明では、まず、情報データを送信するに先立って送信先となる携帯電話のコーデック種別を検出し、この検出したコーデック種別に対応して予め用意されている情報ファイルを送信用に符号化する。このとき、上述同様に、雑音除去処理を伴わずに符号化処理にて符号化することにより、質劣化の少ない情報データを生成することができる。そして、かかる情報データは携帯電話のコーデックに対応しているため、当該情報データを携帯電話にコーデックスルーにて送信することができる。従って、上述同様に、携帯電話のユーザに質劣化のない情報を提供することができる。そしてさらに、送信先の携帯電話がコーデックスルー可能か否かを事前に調べ、その結果に応じて携帯電話のコーデック種別に対応した情報データを送信することにより、より確実に質劣化のない情報を提供することが可能となる。【００３９】
また、上記システムを構成する情報提供装置は、
無線基地局においてコーデックスルーにて携帯電話に提供される情報データを蓄積する情報提供装置であって、
携帯電話に提供する情報データを雑音除去処理を伴わずに符号化する情報データ符号化手段を備えた、という構成を採っている。【００４０】
また、上記システムにて実行される方法は、
携帯電話に提供される情報を、符号化装置を用いて符号化する方法であって、
情報データを読み出し、予め定められた携帯電話のコーデックに対応して、符号化処理とは異なり雑音除去処理を伴わずに符号化処理を行う、という構成を採っている。【００４１】
同様に、
情報提供用コンピュータを用いて、携帯電話に情報を提供する方法であって、
携帯電話のコーデック種別を検出するコーデック種別検出工程と、
この検出されたコーデック種別に対応して携帯電話の符号化処理とは異なり雑音除去処理を伴わずに音楽用符号化処理にて符号化する情報データ符号化工程と、
この符号化された情報データを無線基地局においてコーデックスルーにて携帯電話に送信する情報データ送信工程と、
を備えた、という構成を採っている。【００４２】
さらに、本発明では、
携帯電話に情報を提供する情報データ提供用コンピュータに、
携帯電話のコーデック種別を検出するコーデック種別検出手段、
この検出されたコーデック種別に対応して携帯電話の符号化処理とは異なり雑音除去処理を伴わずに符号化処理にて符号化する情報データ符号化手段、
この符号化された情報データを無線基地局においてコーデックスルーにて携帯電話に送信する情報データ送信手段、
とを実現するための情報データ提供用プログラムをも提供している。【００４３】
このようにしても、上述したシステム同様に作用し、上記目的を達成することができる。【００４４】
さらに、本発明では、
通話の際に音声に対して雑音除去処理を含むコーデックを行う無線基地局と、この無線基地局を介して前記携帯電話に情報データを送信する情報提供装置と、を備えた情報提供システムであって、
無線基地局が、音楽提供装置から送信された情報データを携帯電話のコーデックに対応してコーデックとは異なり雑音除去処理を伴わないコーデックを行う音楽用コーデック手段を備えた、という構成の情報提供システムを提供している。【００４５】
このような構成にすることにより、情報提供装置から携帯電話回線網を介して伝送されてきた音楽データは無線基地局にて携帯電話のコーデックに対応してコーデックされるが、当該情報データは、雑音除去処理を含んだコーデックとは異なり当該雑音除去処理を含まない情報用コーデックにてコーデックされたデータである。従って、情報は質が劣化せずに携帯電話に伝送され、これにより、上述同様にユーザは高質の情報を再生することが可能となる。
【発明の効果】
【００４６】
本発明は、以上のように構成され機能するので、これによると、情報は雑音除去処理が行われずに符号化されるため、符号化時における質の劣化が抑制され、さらに、かかる情報データはコーデックスルーにて携帯電話に送信されるため、送信時にコーデックされることなく、当該送信時における質の劣化も抑制される。従って、質劣化のない情報データを携帯電話に送信することができ、ユーザは高質な情報を得ることができる。また一方で、通話時における情報の伝送は従来通り雑音除去がなされているため、かかる情報の質も維持することができる、という従来にない優れた効果を有する。
【発明を実施するための最良の形態】
【００４７】
本発明の特徴は、携帯電話網におけるデータ伝送時に、通話による情報に対しては、従来で通りに雑音除去処理を含んだ符号化処理を行うことにより情報の質向上を図り、一方、提供される音楽等の情報に対しては、本発明の特徴である雑音除去処理を実行しない符号化処理にて符号化して伝送することにより、コーデック特性に起因する質劣化を抑制することにある。【００４８】
例えば、携帯電話網にて伝送する情報の１つである音楽データには、呼び出し音の代わりに提供する音楽データがあり、音楽提供装置から携帯電話網を通じて携帯電話に提供されるものである。以下、実施例では、ＣＤＭＡ網にて上述した発信メロディサービス（以下、発メロサービスという）を提供する場合について説明する。但し、携帯電話網で伝送される情報として音楽データを用いた場合について説明するが、前記情報としては、音楽データに限られるものではない。また前記情報として用いられる音楽データは、上記発メロサービスによる呼び出し音の代わりに提供される音楽データに限られるものではない。
【実施形態１】
【００４９】
本発明の第１の実施形態を、図１乃至図５を参照して説明する。図１は、本発明の第１の実施形態に係る全体的なシステム構成の概要を示す図である。図２は、メロディ再生制御サーバの構成を示す機能ブロック図である。図３は、音楽用符号化処理の流れを示すフローチャートである。図４は、メロディ再生制御装置の動作を示すフローチャートである。図５は、システム全体における動作を示すシーケンス図である。
【００５０】
＜構成＞
図１に示すように、発メロサービスを実現するシステムは、発信側携帯電話Ｕ１、着信側携帯電話Ｕ２、携帯電話網５０、当該携帯電話網５０内に設置されている無線基地局５１，５２、中継交換機５３（ＧＳ：Gateway Switch）、携帯電話交換機５４，５５（ＭＳＣ：Mobile Switching Center)などの携帯電話にて通信を可能とする基本的な構成に加え、ＭＳＣ５１，ＧＳ５３に接続された音楽を提供するメロディ再生制御サーバ１と、発メロサービスに加入しているユーザを登録して管理する加入者サービス管理サーバ３と、を備えている。そして、メロディ再生制御サーバ１は提供する音楽データを蓄積した音源データベース２を備え、また、加入者サービス管理サーバ３は加入者データベース４を備えている。
【００５１】
なお、発メロサービスの具体的な構成は上記従来例の説明時に説明したため、その詳細な説明は省略する。ここで、図１において、発信側端末を符号Ｕ１で示し、着信側端末を符号Ｕ２で示す。また、無線基地局５１，５２やＭＳＣ５４，５５、ＧＳ５３の設置状況は、この図に示す状況に限定されない。例えば、着信側端末Ｕ２側に位置するＭＳＣ５５からメロディ再生制御サーバ１が起動されてもよい。
【００５２】
そして、本発明の実施形態では、メロディ再生制御サーバ１に特徴を有するため、主にメロディ再生制御サーバ１の構成、動作について詳述する。すなわち、発信側端末Ｕ１から発メロサービスに加入している着信側端末Ｕ２に対して発信が行われた際に、ＭＳＣ５４にてメロディ再生制御サーバ１が起動された後の状態を以下に説明する。
【００５３】
＜構成＞
メロディ再生制御サーバ１の構成を、図２を参照して説明する。このサーバ１は、一般的なサーバコンピュータにて構成されており、所定のプログラムが組み込まれることにより、ＣＰＵ１０に以下のような処理部（図２参照）が構築される。
【００５４】
まず、メロディ再生制御サーバ１には、ＭＳＣ５４からＧＳ５３を介して起動指示を受け付けるメロディ再生指示受付部１１と、発信側携帯電話Ｕ１に対して無線基地局においてコーデックスルーにて音楽データの送信が可能か否かを問い合わせるコーデックスルー可否問い合わせ部１２（コーデックスルー可否問い合わせ手段）と、発信側携帯電話Ｕ１のコーデック種別を検出するコーデック種別検出部１３（コーデック種別検出手段）と、発信側携帯電話Ｕ１のコーデック種別に対応した音楽データを当該携帯電話Ｕ１に対して無線基地局５１においてコーデックスルーにて音楽データを送信する音楽データ送信部１４（音楽データ送信手段）と、が構築されている。
【００５５】
また、その記憶装置である音源データベース２には、携帯電話Ｕ１に提供する音楽データを記憶する音楽データ記憶部２０（音楽データ記憶手段）が形成されており、携帯電話のコーデック種別に対応して音楽用符号化処理にて予め符号化された音楽データを蓄積する。以下、上記各構成についてさらに詳述する。
【００５６】
まず、音楽データ記憶部２０に記憶されている音楽データは、上述したようにコーデック種別に対応して符号化された音楽データであるが、例えば、ＣＤＭＡＯｎｅにて用いられている８Ｋｂｉｔ／ｓｅｃのＥＶＲＣコーデックに対応して符号化された音楽データ（ＥＶＲＣ用音楽データ（２１））である。
【００５７】
ここで、音楽データ記憶部２０に記憶されている音楽データを符号化する処理は、音声データの符号化とは異なる音楽用符号化処理にて符号化されたものである。その処理について、図３のフローチャートを参照して説明する。
【００５８】
まず、音源であるアナログ信号の音楽を入力すると（ステップＳ１）、音楽アナログ入力信号を正規化し（ステップＳ２）、アナログ信号での帯域フィルター（低周波成分と高周波成分の除去）をかける（ステップＳ３）。そして、かかるアナログ信号をデジタル変換し（ステップＳ４）、ＥＶＲＣコーデックに対応した８Ｋｂｉｔ／ｓｅｃの音楽データに符号化する（ステップＳ５）。その後、冗長構成、誤り訂正符号追加など伝送用符号に変換する（ステップＳ６）。
【００５９】
そして、上記音楽用符号化処理と、上述した音声用符号化処理（図１０参照）とを比較すると、図１０のステップＳ１０５の小振幅部分の削除処理と、ステップＳ１０６の話者認識／雑音除去処理と、が実行されていないことが分かる。このため、音楽用符号化処理では、上述した音声用符号化処理では行われていた雑音除去処理によって、音楽の劣化を抑制した音楽データの符号化を実現することができる。そして、このような処理は、図示しない音楽データ符号化装置にて予め符号化され、音源データベース２に格納される。そして、図２では、ＥＶＲＣコーデック用の音楽データを図示しているにすぎないが、他のコーデック種別に対応して符号化された音楽データももちろん予め用意され格納されている。
【００６０】
そして、メロディ再生指示受付部１１は、ＭＳＣ５４から発信側携帯電話Ｕ１に音楽データの配信指示を受けると、その旨をコーデックスルー可否問い合わせ部１２に通知する。すると、コーデックスルー可否問い合わせ部１２は、ＧＳ５３に対して発信側携帯電話Ｕ１にコーデックスルーにて音楽データを送信可能か否かを問い合わせ、その応答を受信する。そして、可能である旨の応答を受けると、コーデック種別検出部１３に通知する。
【００６１】
コーデック種別検出部１３は、ＧＳ５３を介してＭＳＣ５４に、発信側携帯電話Ｕ１のコーデック種別を問い合わせ、その応答を得ることにより当該発信側携帯電話Ｕ１のコーデック種別を検出する。そして、検出したコーデック種別を音楽データ送信部１４に通知する。
【００６２】
音楽データ送信部１４は、コーデック種別検出部１３から通知されたコーデックに対応して音楽用符号化処理にて符号化された音楽データを音楽データ記憶部２０から読み出して、かかる音楽データをＧＳ５３、ＭＳＣ５４、無線基地局５１を介して発信側携帯電話Ｕ１に送信する。このとき、ＧＳ５３、ＭＳＣ５４、無線基地局５１には、コーデックスルー指示を出しているため、無線基地局５１にて音声用コーデックが行われることなく、音源データベース２に記憶されたままの状態の音楽データが携帯電話Ｕ１に送信される。なお、図１の例では、ＣＤＭＡ網であるので、ＥＶＲＣコーデックに対応して８Ｋｂｉｔ／ｓｅｃにて符号化された音楽データが送信される。
【００６３】
ここで、携帯電話網がコーデックスルー接続が不可能であれる場合には、音楽データを音声モード（ＰＣＭ：６４Ｋ）にて伝送する。また、発信側携帯電話のコーデック種別に合致して符号化された音楽データを記憶していない場合にも、音楽データを音声モード（ＰＣＭ：６４Ｋ）にて伝送する。
【００６４】
＜動作＞
次に、図４乃至図５を参照して、本実施例における動作を説明する。図４は、メロディ再生制御サーバ１の動作を示すフローチャートであり、図５は、システム全体の動作を示すシーケンス図である。また、図１を参照して、音楽データの流れも示す。
【００６５】
まず、発信側携帯電話Ｕ１が受信側携帯電話Ｕ２に電話をかけると（図５のステップＳ３１）、着信側携帯電話が発メロサービスに加入しているかどうかをＭＳＣ５４が加入者サービス管理サーバ３に問い合わせ、その応答を得る（図示せず）。そして、加入している場合には、リングバックトーンの代わりに音楽データを流すべく、ＭＳＣ５４はＧＳ５３を介してメロディ再生制御サーバ１に起動指示を出す（図５のステップＳ３２）。
【００６６】
続いて、起動指示を受信したメロディ再生制御サーバ１は（図４のステップＳ１１）、ＧＳ５３に対してコーデックスルー可能か否かを問い合わせる（図４のステップ１２、図５のステップＳ３３、コーデックスルー可否問い合わせ工程）。そして、これに対する応答（図５のステップＳ３４）をＧＳ５３から受信し、コーデックスルーが可能であると判ると（図４のステップＳ１３にて肯定判断）、続いて、発信側携帯電話Ｕ１のコーデック種別をＧＳ５３を介して発信側のＭＳＣ５４に問い合わせる（図４のステップＳ１４、図５のステップＳ３５、コーデック種別検出工程）。これに対して応答を得て（図５のステップＳ３６）、コーデック種別が判り、かかるコーデック種別が対応可能である場合には（図４のステップＳ１５にて肯定判断）、コーデック種別に対応して符号化された音楽データを音源データベースから検索する（図４のステップＳ１６）。
【００６７】
そして、コーデック種別に対応した音楽データが存在する場合には（図４のステップＳ１７にて肯定判断）、かかる音楽データを読み出す（図４のステップＳ１８、図５のステップＳ３７，Ｓ３８、音楽データ選定工程）。従って、音楽データはこのとき既に携帯電話のコーデックに対応して、例えば８Ｋｂｉｔ／ｓｅｃのＥＶＲＣコーデックに対応した形式に符号化されている（図１の矢印Ａ１参照）。
【００６８】
その後、ＧＳ５３，ＭＳＣ５４に対してコーデックスルー指示を出しつつ（図４のステップＳ１９、図５のステップＳ３９、図１の矢印Ｂ１，Ｂ２，Ｂ３参照）、音楽データを発信側携帯端末Ｕ１に送信する（図４のステップＳ２０、図５のステップＳ４０、音楽データ送信工程）。これにより、伝送系路上でコーデックされることなく、当初の符号化状態（例えば、８Ｋｂｉｔ／ｓｅｃのＥＶＲＣコーデックに対応した形式）にて携帯電話に音楽データが伝送される（図１の矢印Ａ２，Ａ３，Ａ４，Ａ５）。従って、劣化の少ない音楽データが発信側携帯電話Ｕ１に送信されるため、当該携帯電話でかかる音楽データが再生されることで、ユーザは高音質の音楽を呼び出し待ち中に聴くことができる（図５のステップＳ４１）。
【００６９】
その後、着信側携帯電話Ｕ２が応答すると（図４のステップＳ２１にて肯定判断、図５のステップＳ４２）、すなわち、着信側のユーザが電話に出ると、ＧＳ５３にてメロディ再生制御サーバ１に切断指示がなされ（図５のステップＳ４３）、当該サーバ１は音楽データの送信を停止すると共に（図４のステップＳ２２）、ＧＳ５３，ＭＳＣ５４に対してコーデックスルー解除指示を出す（図４のステップＳ２３、図５のステップＳ４４）。
【００７０】
すると、発信側携帯電話Ｕ１と着信側携帯電話Ｕ２とで通話が可能となり（図５のステップＳ４５，Ｓ４６）、このときに音声データは従来より携帯電話Ｕ１，Ｕ２や無線基地局５１，５２に装備されている音声用コーデックにてコーデックされるため、雑音が除去された聞き取りやすい明瞭な通話を維持することができる。
【００７１】
ここで、上記では、ＣＤＭＡ網の場合について説明したが、本発明は、雑音除去機能を有する他のコーデック種別についても同様に、そのコーデック種別毎に対応して雑音除去処理を伴わない音楽用符号化処理された音楽データの作成が可能である。従って、各コーデック種別に適合した音楽データを予め音源データベース２に蓄積しておくことで、あらゆるユーザに対して音質の劣化のない音楽を提供することができる。
【００７２】
一方、コーデックスルーが不可能であると判断された場合（図４のステップＳ１３にて否定判断）、検出した携帯電話のコーデック種別に対応不可能であった場合（図４のステップＳ１５にて否定判断）、検出したコーデック種別に対応する音楽データが存在しなかった場合（図４のステップＳ１７にて否定判断）には、従来と同様に、予め音源データベースに用意されたＷＡＶ形式の音楽データを読み出し（図４のステップＳ２４）、音声モード（ＰＣＭ：６４Ｋ）にて発信側携帯電話Ｕ１に送信する（図４のステップＳ２５）。そして、着信側携帯電話Ｕ２が応答すると（図４のステップＳ２６）、音楽データの送信を停止する（図４のステップＳ２７）。
【実施形態２】
【００７３】
次に、本発明の第２の実施形態について図６乃至図９を参照して説明する。図６は、本実施形態におけるメロディ再生制御サーバ１の構成を示す機能ブロック図である。図７は、本実施形態におけるメロディ再生制御サーバ１の動作を示すフローチャートである。図８は、本実施形態におけるシステム全体の構成を示す概略図であり、音楽データの伝送の様子を示すものである。
【００７４】
本実施形態では、メロディ再生制御サーバ１が、サービスに利用する音楽データをＷＡＶ形式、あるいは、アナログ形式にて予め音源データベースに予め記憶し、発信側携帯電話Ｕ１への送信時に、当該発信側携帯電話Ｕ１のコーデック種別を調べ、かかるコーデック種別に対応した音楽用符号化処理を行って音楽データを作成し、これを発信側携帯電話Ｕ１に配信する、という点に特徴を有している。すなわち、上記実施例１では、メロディ再生制御サーバ１に予め各コーデック種別に対応した音楽データを蓄積しておく場合を例示したが、かかる構成に限定されない。以下、メロディ再生制御サーバ１の具体的な構成及び動作を説明する。
【００７５】
＜構成＞
図６に示すように、本実施形態におけるメロディ再生制御サーバ１は、上記実施形態１のものとほぼ同様の構成を採っている。但し、以下の点で異なる。
【００７６】
まず、本実施形態における音源データベース２の音楽データ記憶部２０には、発信側携帯電話Ｕ１に送信する音楽であるアナログ音楽データ、あるいは、ＷＡＶ形式に符号化された音楽データが記憶されている。但し、この記憶部２０に記憶されている音楽データは、音質の劣化していない状態であれば、いかなる形式に符号化されているものでもよい。
【００７７】
また、本実施形態におけるメロディ再生制御サーバ１のＣＰＵ１０には、上述した各処理部１１〜１４の他に、予め記憶された音源となる音楽データ（アナログ、あるいは、ＷＡＶ形式）をコーデック種別検出手段にて検出されたコーデック種別に対応して音楽用符号化処理にて符号化する音楽データ符号化部１５（音楽データ符号化手段）が構築されている。この音楽データ符号化部１５では、メロディの発信指示があり、コーデック種別が検出された後に、上述した音楽データ記憶部２０内のアナログ音楽データ、あるいは、ＷＡＶ形式の音楽データを読み出して、検出されたコーデック種別に対応して雑音処理を伴わない音楽用符号化処理を行う。例えば、ＥＶＲＣコーデックに対応したコーデックを行う。
【００７８】
そして、これに伴い、音楽データ送信部１４は、上記音楽データ符号化部１５で符号化された音楽データをコーデックスルー指示して発信側携帯電話Ｕ１に送信するよう作動する。
【００７９】
＜動作＞
次に、図７乃至図８を参照して、本実施形態における動作を説明する。なお、上記実施形態１と同様の処理についてはその詳細な説明は省略する。
【００８０】
まず、上述同様に、発信側携帯電話Ｕ１から発信があり、当該携帯電話１にリングバックトーンの代わりに音楽データを再生すべくメロディ再生制御サーバ１が起動されると、コーデックスルーの可否、及び、携帯電話のコーデック種別が調べられる（ステップＳ５１〜ステップＳ５４）。そして、対応可能なコーデック種別であると（ステップＳ５５にて肯定判断）、音源データベースからアナログデータあるいはＷＡＶ形式の音楽データを読み出し（ステップＳ５６、図８の矢印Ａ１１参照）、検出されたコーデック種別に対応して音楽用符号化処理がなされ（ステップＳ５７）、例えば、ＥＶＲＣコーデックに対応して符号化された音楽データが生成される。
【００８１】
続いて、この新たに生成した音楽データを、上述同様に、コーデックスルーを指示すると共に（ステップＳ５８、図８の矢印Ｂ１１，Ｂ１２，Ｂ１３参照）、発信側携帯電話Ｕ１に対して送信する（ステップＳ５９）。これにより、伝送系路上でコーデックされることなく、携帯電話に音楽データが伝送される（図８の矢印Ａ１２，Ａ１３，Ａ１４，Ａ１５）。従って、音質劣化の少ない音楽データが発信側携帯電話Ｕ１に送信されるため、当該携帯電話のユーザは高音質の音楽を呼び出し中に聴くことができる。
【００８２】
なお、その後、着信側携帯電話Ｕ２が応答した後の処理（ステップＳ６０〜Ｓ６２）や、コーデックスルーに対応不可であったり、コーデック種別に対応不可である場合の処理（ステップＳ６３〜Ｓ６６）は、上記実施形態１の場合と同様なので省略する。
【００８３】
このようにすることにより、実施形態２では、あらゆる種別の携帯電話に対してコーデックスルーにて音楽データを提供することができ、あらゆるユーザが音質の劣化のない音楽を聴くことが可能となる。
【実施形態３】
【００８４】
次に、本発明の第３の実施形態について、図９を参照して説明する。本実施形態では、上述した音楽用符号化処理にて音楽データを生成する音楽用コーデックを、従来の音声用コーデックと合わせて無線基地局５１に実装する。
【００８５】
すなわち、本実施形態では、図９に示すように、無線基地局５１が、メロディ再生制御サーバ１から送信された音楽データを携帯電話のコーデックに対応して音声用コーデックとは異なり雑音除去処理を伴わない音楽用コーデックを行う音楽用コーデック装置５１ａ（音楽用コーデック手段）を備えて構成されている。
【００８６】
すると、メロディ再生制御サーバ１から送信される音楽データは、無線基地局５１までは従来例と同様に、ＰＣＭ６４Ｋにて伝送される（図９の矢印Ａ２１，２２，２３，２４参照）。そして、無線基地局５１では、この音楽データを受信した時には、そのデータ構造や当該データに含まれる特徴データ、あるいは、メロディ再生制御サーバ１からの伝送指示などから、受信したデータを音楽データであると判断し、当該音楽データを通常の音声用コーデックではなく、音楽用コーデック装置５１ａにてコーデックする。すると、例えば、携帯電話がＣＤＭＡ網である場合には、ＥＶＲＣコーデックに対応した音楽データにコーデックされ、携帯電話Ｕ１に送信する（図９の矢印Ａ２５参照）。
【００８７】
これにより、音楽データは雑音除去処理を含まない音楽用コーデックにてコーデックされたものが携帯電話に送信されるため、音楽データは音質が劣化せずに携帯電話にて再生可能となる。
【産業上の利用可能性】
【００８８】
本発明は、携帯電話に対して例えば呼び出し音（リングバックトーン）に代わりに音楽を提供する発信メロディサービスや、音楽試聴業者へ電話をかけ、聴きたい曲を指定することにより音楽を試聴するサービスなどに利用可能であり、これにより質劣化のない音楽などの情報を提供することができ、産業上の利用可能性を有する。
【図面の簡単な説明】
【００８９】
【図１】実施形態１における全体的なシステム構成の概要を示す図である。
【図２】実施形態１におけるメロディ再生制御サーバの構成を示す機能ブロック図である。
【図３】本発明の実施形態における音楽用符号化処理の流れを示すフローチャートである。
【図４】実施形態１におけるメロディ再生制御サーバの動作を示すフローチャートである。
【図５】実施形態１におけるシステム全体における動作を示すシーケンス図である。
【図６】実施形態２におけるメロディ再生制御サーバの構成を示す機能ブロック図である。
【図７】実施形態２におけるメロディ再生制御サーバの動作を示すフローチャートである。
【図８】実施形態２におけるシステム全体の構成を示す概略図であり、音楽データの伝送の様子を示すものである。
【図９】実施形態３におけるシステム全体の構成を示す概略図であり、音楽データの伝送の様子を示すものである。
【図１０】音声用符号化処理の流れを示すフローチャートである。
【図１１】従来例における発信メロディサービスを実現するシステム全体の構成を示す概略図である。
【図１２】図１２（ａ），（ｂ）は、音声符号化処理の一部における信号の様子を示す説明図である。
【符号の説明】
【００９０】
１  メロディ再生制御サーバ（音楽提供装置）
２  音源データベース（音楽データ記憶手段）
３  加入者サービス管理サーバ
４  加入者データベース
１１  メロディ再生指示受付手段
１２  コーデックスルー可否問い合わせ部（コーデックスルー可否問い合わせ手段）
１３  コーデック種別検出部（コーデック種別検出手段）
１４  音楽データ送信部（音楽データ送信手段）
１５  音楽データ符号化部（音楽データ符号化手段、音楽符号化装置）
２０  音楽データ記憶部（音楽データ記憶手段）
５０  携帯電話網
５１，５２  無線基地局
５３  中継交換機（ＧＳ）
５４，５５  携帯電話交換機（ＭＳＣ）
Ｕ１  発信側携帯電話
Ｕ２  着信側携帯電話
【図１】
0004725803.tif 000002
【図２】
0004725803.tif 000003
【図３】
0004725803.tif 000004
【図４】
0004725803.tif 000005
【図５】
0004725803.tif 000006
【図６】
0004725803.tif 000007
【図７】
0004725803.tif 000008
【図８】
0004725803.tif 000009
【図９】
0004725803.tif 000010
【図１０】
0004725803.tif 000011
【図１１】
0004725803.tif 000012
【図１２】
0004725803.tif 000013